(57)【要約】【課題】制御対象機器の消費電力の無駄を省き、節電に貢献すること。【解決手段】脳波測定装置５００および体温測定装置６００の測定データを収集し、これらの測定データに基づいて、室内１００における人間の状態（有人・活動中、有人・睡眠中、無人）を監視する制御部８０１を備え、制御部８０１は、状態が有人・活動中である場合、２モード電気機器２００の電源をオンに電源制御し、状態が有人・睡眠中である場合、２モード電気機器２００の電源をオフに制御し、状態が無人である場合、２モード電気機器２００の電源をオフに制御する。【選択図】      図１
2004302858.tif 000002
【特許請求の範囲】
【請求項１】
コンピュータを、
室内における人間の状態を監視する状態監視手段、
前記状態が有人かつ活動中である場合、制御対象機器の電源をオンに電源制御し、前記状態が有人かつ睡眠中である場合、前記制御対象機器の電源をオフに制御し、前記状態が無人である場合、前記制御対象機器の電源をオフに制御する制御手段、
として機能させるための電源制御プログラム。
【請求項２】
コンピュータを、
室内における人間の状態を監視する状態監視手段、
前記状態が有人かつ活動中である場合、制御対象機器の電源をオンに電源制御し、前記状態が有人かつ睡眠中である場合、前記制御対象機器の電源を省電力に制御し、前記状態が無人である場合、前記制御対象機器の電源をオフに制御する制御手段、
として機能させるための電源制御プログラム。
【請求項３】
前記制御手段は、前記制御対象機器の電源が前記省電力に強制的に変更され後に、前記状態が無人とされた場合、前記制御対象機器の電源をオフに制御することを特徴とする請求項２に記載の電源制御プログラム。
【請求項４】
前記状態監視手段は、前記人間の脳波、体温の測定結果に基づいて、前記状態を監視することを特徴とする請求項１〜３のいずれか一つに記載の電源制御プログラム。
【請求項５】
前記状態監視手段は、前記人間の脳波、画像の測定結果に基づいて、前記状態を監視することを特徴とする請求項１〜３のいずれか一つに記載の電源制御プログラム。
【請求項６】
室内における人間の状態を監視する状態監視工程と、
前記状態が有人かつ活動中である場合、制御対象機器の電源をオンに電源制御し、前記状態が有人かつ睡眠中である場合、前記制御対象機器の電源をオフに制御し、前記状態が無人である場合、前記制御対象機器の電源をオフに制御する制御工程と、
を含むことを特徴とする電源制御方法。
【請求項７】
室内における人間の状態を監視する状態監視工程と、
前記状態が有人かつ活動中である場合、制御対象機器の電源をオンに電源制御し、前記状態が有人かつ睡眠中である場合、前記制御対象機器の電源を省電力に制御し、前記状態が無人である場合、前記制御対象機器の電源をオフに制御する制御工程と、
を含むことを特徴とする電源制御方法。
【請求項８】
前記制御工程では、前記制御対象機器の電源が前記省電力に強制的に変更され後に、前記状態が無人とされた場合、前記制御対象機器の電源をオフに制御することを特徴とする請求項７に記載の電源制御方法。
【請求項９】
前記状態監視工程では、前記人間の脳波、体温の測定結果に基づいて、前記状態を監視することを特徴とする請求項６〜８のいずれか一つに記載の電源制御方法。
【請求項１０】
前記状態監視工程では、前記人間の脳波、画像の測定結果に基づいて、前記状態を監視することを特徴とする請求項６〜８のいずれか一つに記載の電源制御方法。
【請求項１１】
室内における人間の状態を監視する状態監視手段と、
前記状態が有人かつ活動中である場合、制御対象機器の電源をオンに電源制御し、前記状態が有人かつ睡眠中である場合、前記制御対象機器の電源をオフに制御し、前記状態が無人である場合、前記制御対象機器の電源をオフに制御する制御手段と、
を備えたことを特徴とする電源制御装置。
【請求項１２】
室内における人間の状態を監視する状態監視手段と、
前記状態が有人かつ活動中である場合、制御対象機器の電源をオンに電源制御し、前記状態が有人かつ睡眠中である場合、前記制御対象機器の電源を省電力に制御し、前記状態が無人である場合、前記制御対象機器の電源をオフに制御する制御手段と、
を備えたことを特徴とする電源制御装置。
【請求項１３】
前記制御手段では、前記制御対象機器の電源が前記省電力に強制的に変更され後に、前記状態が無人とされた場合、前記制御対象機器の電源をオフに制御することを特徴とする請求項１２に記載の電源制御装置。
【請求項１４】
前記状態監視手段では、前記人間の脳波、体温の測定結果に基づいて、前記状態を監視することを特徴とする請求項１１〜１３のいずれか一つに記載の電源制御装置。
【請求項１５】
前記状態監視手段では、前記人間の脳波、画像の測定結果に基づいて、前記状態を監視することを特徴とする請求項１１〜１３のいずれか一つに記載の電源制御装置。
【発明の詳細な説明】
【０００１】
【発明の属する技術分野】
本発明は、家庭内における電気機器の電源制御に用いて好適な電源制御プログラム、電源制御方法および電源制御装置に関するものであり、特に、制御対象機器の消費電力の無駄を省き、節電に貢献することができる電源制御プログラム、電源制御方法および電源制御装置に関するものである。
【０００２】
【従来の技術】
テレビジョン装置や照明装置等の電気機器の電源をオンにしたまま床についた場合には、電源をオンにしたまま寝入ってしまい、朝になって無駄な電気料金がかかってしまったことを後悔するという状況が多々ある。
【０００３】
そこで、従来では、睡眠状態を検出し、自動的に電気機器の電源をオフにするという電源制御システムが提案されている。
【０００４】
【特許文献１】
特開平１０−３０９０４６号公報
【０００５】
【発明が解決しようとする課題】
ところで、前述したように、従来の電源制御システムにおいては、睡眠状態を検出し、電源をオフにするという制御を行っているが、睡眠の際に少々節電されるに過ぎず、睡眠以外の他の時間（例えば、日中）の節電について考慮されていない。すなわち、従来の電源制御システムでは、日中等における節電までカバーすることができないのである。
【０００６】
本発明は、上記に鑑みてなされたものであり、制御対象機器の消費電力の無駄を省き、節電に貢献することができる電源制御プログラム、電源制御方法および電源制御装置を提供することを目的とする。
【０００７】
【課題を解決するための手段】
上記目的を達成するために、請求項１にかかる発明は、コンピュータを、室内における人間の状態を監視する状態監視手段、前記状態が有人かつ活動中である場合、制御対象機器の電源をオンに電源制御し、前記状態が有人かつ睡眠中である場合、前記制御対象機器の電源をオフに制御し、前記状態が無人である場合、前記制御対象機器の電源をオフに制御する制御手段、として機能させるための電源制御プログラムである。
【０００８】
この発明によれば、室内における人間の状態を監視し、状態が有人かつ活動中である場合、制御対象機器の電源をオンに電源制御し、状態が有人かつ睡眠中である場合、制御対象機器の電源をオフに制御し、状態が無人である場合、制御対象機器の電源をオフに制御することとしたので、状態に応じたきめ細かい制御により、制御対象機器の消費電力の無駄を省き、節電に貢献することができる。
【０００９】
また、請求項２にかかる発明は、コンピュータを、室内における人間の状態を監視する状態監視手段、前記状態が有人かつ活動中である場合、制御対象機器の電源をオンに電源制御し、前記状態が有人かつ睡眠中である場合、前記制御対象機器の電源を省電力に制御し、前記状態が無人である場合、前記制御対象機器の電源をオフに制御する制御手段、として機能させるための電源制御プログラムである。
【００１０】
この発明によれば、室内における人間の状態を監視し、状態が有人かつ活動中である場合、制御対象機器の電源をオンに電源制御し、状態が有人かつ睡眠中である場合、制御対象機器の電源を省電力に制御し、状態が無人である場合、制御対象機器の電源をオフに制御することとしたので、状態に応じたきめ細かい制御により、制御対象機器の消費電力の無駄を省き、節電に貢献することができる。
【００１１】
また、請求項３にかかる発明は、請求項２に記載の電源制御プログラムにおいて、前記制御手段は、前記制御対象機器の電源が前記省電力に強制的に変更され後に、前記状態が無人とされた場合、前記制御対象機器の電源をオフに制御することを特徴とする。
【００１２】
この発明によれば、制御対象機器の電源が省電力に強制的に変更され後に、状態が無人とされた場合、制御対象機器の電源をオフに制御することとしたので、さらに、制御対象機器の消費電力の無駄を省き、節電に貢献することができる。
【００１３】
また、請求項４にかかる発明は、請求項１〜３のいずれか一つに記載の電源制御プログラムにおいて、前記状態監視手段は、前記人間の脳波、体温の測定結果に基づいて、前記状態を監視することを特徴とする。
【００１４】
この発明によれば、人間の脳波、体温の測定結果に基づいて、状態を監視することとしたので、状態の監視精度を高めることができる。
【００１５】
また、請求項５にかかる発明は、請求項１〜３のいずれか一つに記載の電源制御プログラムにおいて、前記状態監視手段は、前記人間の脳波、画像の測定結果に基づいて、前記状態を監視することを特徴とする。
【００１６】
この発明によれば、人間の脳波、画像の測定結果に基づいて、状態を監視することとしたので、状態の監視精度を高めることができる。
【００１７】
また、請求項６にかかる発明は、室内における人間の状態を監視する状態監視工程と、前記状態が有人かつ活動中である場合、制御対象機器の電源をオンに電源制御し、前記状態が有人かつ睡眠中である場合、前記制御対象機器の電源をオフに制御し、前記状態が無人である場合、前記制御対象機器の電源をオフに制御する制御工程と、を含むことを特徴とする。
【００１８】
この発明によれば、室内における人間の状態を監視し、状態が有人かつ活動中である場合、制御対象機器の電源をオンに電源制御し、状態が有人かつ睡眠中である場合、制御対象機器の電源をオフに制御し、状態が無人である場合、制御対象機器の電源をオフに制御することとしたので、状態に応じたきめ細かい制御により、制御対象機器の消費電力の無駄を省き、節電に貢献することができる。
【００１９】
また、請求項７にかかる発明は、室内における人間の状態を監視する状態監視工程と、前記状態が有人かつ活動中である場合、制御対象機器の電源をオンに電源制御し、前記状態が有人かつ睡眠中である場合、前記制御対象機器の電源を省電力に制御し、前記状態が無人である場合、前記制御対象機器の電源をオフに制御する制御工程と、を含むことを特徴とする。
【００２０】
この発明によれば、室内における人間の状態を監視し、状態が有人かつ活動中である場合、制御対象機器の電源をオンに電源制御し、状態が有人かつ睡眠中である場合、制御対象機器の電源を省電力に制御し、状態が無人である場合、制御対象機器の電源をオフに制御することとしたので、状態に応じたきめ細かい制御により、制御対象機器の消費電力の無駄を省き、節電に貢献することができる。
【００２１】
また、請求項８にかかる発明は、請求項７に記載の電源制御方法において、前記制御工程では、前記制御対象機器の電源が前記省電力に強制的に変更され後に、前記状態が無人とされた場合、前記制御対象機器の電源をオフに制御することを特徴とする。
【００２２】
この発明によれば、制御対象機器の電源が省電力に強制的に変更され後に、状態が無人とされた場合、制御対象機器の電源をオフに制御することとしたので、さらに、制御対象機器の消費電力の無駄を省き、節電に貢献することができる。
【００２３】
また、請求項９にかかる発明は、請求項６〜８のいずれか一つに記載の電源制御方法において、前記状態監視工程では、前記人間の脳波、体温の測定結果に基づいて、前記状態を監視することを特徴とする。
【００２４】
この発明によれば、人間の脳波、体温の測定結果に基づいて、状態を監視することとしたので、状態の監視精度を高めることができる。
【００２５】
また、請求項１０にかかる発明は、請求項６〜８のいずれか一つに記載の電源制御方法において、前記状態監視工程では、前記人間の脳波、画像の測定結果に基づいて、前記状態を監視することを特徴とする。
【００２６】
この発明によれば、人間の脳波、画像の測定結果に基づいて、状態を監視することとしたので、状態の監視精度を高めることができる。
【００２７】
また、請求項１１にかかる発明は、室内における人間の状態を監視する状態監視手段と、前記状態が有人かつ活動中である場合、制御対象機器の電源をオンに電源制御し、前記状態が有人かつ睡眠中である場合、前記制御対象機器の電源をオフに制御し、前記状態が無人である場合、前記制御対象機器の電源をオフに制御する制御手段と、を備えたことを特徴とする。
【００２８】
この発明によれば、室内における人間の状態を監視し、状態が有人かつ活動中である場合、制御対象機器の電源をオンに電源制御し、状態が有人かつ睡眠中である場合、制御対象機器の電源をオフに制御し、状態が無人である場合、制御対象機器の電源をオフに制御することとしたので、状態に応じたきめ細かい制御により、制御対象機器の消費電力の無駄を省き、節電に貢献することができる。
【００２９】
また、請求項１２にかかる発明は、室内における人間の状態を監視する状態監視手段と、前記状態が有人かつ活動中である場合、制御対象機器の電源をオンに電源制御し、前記状態が有人かつ睡眠中である場合、前記制御対象機器の電源を省電力に制御し、前記状態が無人である場合、前記制御対象機器の電源をオフに制御する制御手段と、を備えたことを特徴とする。
【００３０】
この発明によれば、室内における人間の状態を監視し、状態が有人かつ活動中である場合、制御対象機器の電源をオンに電源制御し、状態が有人かつ睡眠中である場合、制御対象機器の電源を省電力に制御し、状態が無人である場合、制御対象機器の電源をオフに制御することとしたので、状態に応じたきめ細かい制御により、制御対象機器の消費電力の無駄を省き、節電に貢献することができる。
【００３１】
また、請求項１３にかかる発明は、請求項１２に記載の電源制御装置において、前記制御手段では、前記制御対象機器の電源が前記省電力に強制的に変更され後に、前記状態が無人とされた場合、前記制御対象機器の電源をオフに制御することを特徴とする。
【００３２】
この発明によれば、制御対象機器の電源が省電力に強制的に変更され後に、状態が無人とされた場合、制御対象機器の電源をオフに制御することとしたので、さらに、制御対象機器の消費電力の無駄を省き、節電に貢献することができる。
【００３３】
また、請求項１４にかかる発明は、請求項１１〜１３のいずれか一つに記載の電源制御装置において、前記状態監視手段では、前記人間の脳波、体温の測定結果に基づいて、前記状態を監視することを特徴とする。
【００３４】
この発明によれば、人間の脳波、体温の測定結果に基づいて、状態を監視することとしたので、状態の監視精度を高めることができる。
【００３５】
また、請求項１５にかかる発明は、請求項１１〜１３のいずれか一つに記載の電源制御装置において、前記状態監視手段では、前記人間の脳波、画像の測定結果に基づいて、前記状態を監視することを特徴とする。
【００３６】
この発明によれば、人間の脳波、画像の測定結果に基づいて、状態を監視することとしたので、状態の監視精度を高めることができる。
【００３７】
【発明の実施の形態】
以下、図面を参照して本発明にかかる電源制御プログラム、電源制御方法および電源制御装置の一実施の形態について詳細に説明する。
【００３８】
図１は、本発明にかかる一実施の形態の構成を示すブロック図である。同図には、一般家庭の室内１００における有人（活動中または睡眠中）、無人という状態を監視し、この監視結果に基づいて、各電気機器に対して電源制御を行うための電源制御システムが図示されている。
【００３９】
同図に示した室内１００において、２モード電気機器２００は、電源のモードがオンおよびオフという２モードとされる電気機器であり、例えば、テレビジョン装置２０１、照明器具２０２から構成されている。
【００４０】
３モード電気機器３００は、電源のモードがオン、オフおよび省電力という３モードとされる電気機器であり、例えば、ＡＶ（Ａｕｄｉｏ  Ｖｉｓｕａｌ）機器３０１、コンピュータ３０２から構成されている。
【００４１】
省電力のモードでは、３モード電気機器３００で、起動に必要な最低限の電力しか消費せず、外部からの操作により、オンとされる。
【００４２】
常時通電機器４００は、常時、電源がオンとされる電気機器であり、冷蔵庫４０１、ファクシミリ装置４０２および電話機４０３から構成されている。
【００４３】
脳波測定装置５００は、睡眠中の人間の脳波を測定する装置である。この脳波の測定結果（脳波データ）は、睡眠状態の判定に用いられる。ここで、脳波は、当該利用者の睡眠サイクルを知る手がかりとなる睡眠生理学データの一つである。
【００４４】
ここで、図２を参照して、上記睡眠サイクルについて説明する。同図において、横軸は、睡眠時間を表す。縦軸は、眠りの深さを表す。睡眠は、レム睡眠およびノンレム睡眠という二つの要素から構成されている。
【００４５】
入眠してから徐々に睡眠が深くなっていくと次にあらわれるのがレム睡眠である。このレム睡眠の特徴は、脳波上、ノンレム睡眠の第１段階に似ているが、急速な眼球運動が見られることである。このレム睡眠では、夢を見ることが多い。
【００４６】
ノンレム睡眠は、深い眠りであり、眠りの深さに応じて第１段階〜第４段階という４段階に分類される。平均的な８時間の睡眠中には、ノンレム睡眠の段階が４、５回繰り返される。
【００４７】
ノンレム睡眠の第１段階からレム睡眠の開始までは、睡眠サイクルと呼ばれている。睡眠サイクルは、９０分から１００分程度であり、一晩に４、５回繰り返される。
【００４８】
ノンレム睡眠の特徴としては、  つぎの▲１▼〜▲５▼が挙げられる。
▲１▼入眠期の浅い睡眠段階ではゆっくりと揺れるような眼球運動がみられるが、その後、睡眠が深くなると眼球の動きは停止する。
▲２▼脳波は活動が低下し、周波数が遅くなる。
▲３▼身体の筋肉の緊張が保たれる。
▲４▼脈拍、血圧、呼吸が安定する。
▲５▼この時期に眠っている人をおこすと、目覚めが悪く、夢を見ていることは少ない。
【００４９】
ノンレム睡眠の第１段階は、寝床に入り、うとうとした状態ある。覚醒から睡眠へ移行するこの状態では、周囲の状況がある程度把握できる。そして、第１段階では、うとうとするにつれて脳の活動が低下しθ波（周波数  ３−８  Ｈｚ）という一定のパターンの脳波が現れる。
【００５０】
また、ノンレム睡眠の第２段階は、すやすや眠りの状態であり、浅いものの最初に現れる真の睡眠状態である。この状態の脳波には、振幅の低い波形の中に一過性の睡眠紡錘波やＫ−複合波と呼ばれる特徴的な波形が出現する。
【００５１】
また、第３および第４段階は、「徐波睡眠」と呼ばれる深い眠りの状態であり、体の修復作業が行われる。入眠後においては、約２０分で最初の深い眠り（第３段階）に到達し、体温の低下や呼吸、心拍数の減少が見られる。この時点までくると、そう簡単には覚醒せず、もしも起きたとしてもふらついたり自分を把握できない状態となる。また、第３段階の脳波の５０％は、「δ波」という徐波で占められる。
【００５２】
第４段階は、最も深い睡眠の状態である。最初の睡眠サイクルでは、入眠後約１時間で第４段階に到達する。第４段階の脳波は、５０％以上が高振幅、低周波のδ波で占められている。
【００５３】
このように、レム睡眠とノンレム睡眠とは、脳波と密接な関係を有している。従って、脳波測定装置５００（図１参照）での脳波の測定結果から、睡眠状態（レム睡眠、ノンレム睡眠、睡眠サイクル）を求めることができるのである。
【００５４】
図１に戻り、体温測定装置６００は、室内１００における人間の体温を測定する装置である。この体温測定装置６００の測定結果は、室内１００における人間の存在の有無（有人または無人）の判定に用いられる。例えば、室内１００において体温（３６．５℃近傍）の分布が測定された場合には、室内１００に、人間が存在していると判定される（有人）。また、上記分布が時間的に移動する場合には、上記人間が活動中であると判定される。
【００５５】
一方、室内１００において体温の分布が測定されない場合には、室内１００に人間が存在しないと判定される（無人）。
【００５６】
これらの２モード電気機器２００、３モード電気機器３００、常時通電機器４００、脳波測定装置５００および体温測定装置６００は、ホームネットワーク７００を介して、電源制御装置８００に接続されている。ホームネットワーク７００は、家庭内に敷設されたＬＡＮ（Ｌｏｃａｌ  Ａｒｅａ  Ｎｅｔｗｏｒｋ）等である。
【００５７】
電源制御装置８００は、ホームサーバであり、脳波測定装置５００および体温測定装置６００のそれぞれの測定データを収集し、室内１００の状態を判定する機能を備えている。
【００５８】
ここで、室内１００の状態としては、有人・活動中、有人・睡眠中、無人という３つの状態が挙げられる。
【００５９】
有人・活動中は、室内１００に人間が存在しかつ活動している（睡眠中ではない）という状態を示し、体温測定装置６００の測定データから体温が検出され、脳波測定装置５００の測定データで睡眠状態が検出されない場合である。
【００６０】
有人・睡眠中は、室内１００に人間が存在しかつ睡眠している（活動中ではない）という状態を示し、体温測定装置６００の測定データから体温が検出され、かつ脳波測定装置５００の測定データで睡眠状態が検出された場合である。
【００６１】
無人は、室内１００に人間が存在しないという状態を示し、体温測定装置６００の測定データから体温が検出されず、かつ脳波測定装置５００の測定データでも睡眠状態が検出されない場合である。
【００６２】
また、電源制御装置８００は、電源制御テーブル８１０（図３参照）および室内１００の状態に基づいて、室内１００の各電気機器（２モード電気機器２００、３モード電気機器３００および常時通電機器４００）を制御する機能を備えている。
【００６３】
図３に示した電源制御テーブル８１０は、室内１００の状態（有人・活動中、有人・睡眠中、無人）と、各電気機器（２モード電気機器２００、３モード電気機器３００および常時通電機器４００）の制御（オン、オフ、省電力）との対応関係を表すテーブルである。
【００６４】
図１に戻り、制御部８０１は、装置各部を制御する。この制御部８０１の動作の詳細については、後述する。記憶部８０２は、大記憶容量のハードディスク等であり、オペレーティングシステム、アプリケーションプログラム等を格納する。さらに、記憶部８０２は、脳波測定装置５００および体温測定装置６００から収集された測定データ、室内１００の状態（有人・活動中、有人・睡眠中、無人）を表す状態情報等を格納する。
【００６５】
タイマ８０３は、計時機能を備えており、時刻情報を提供する。通信部４０４は、所定の通信プロトコルに従って、通信を制御する。入出力部８０５は、キーボード、マウス、ディスプレイ等である。
【００６６】
つぎに、一実施の形態の動作について、図４に示したフローチャートを参照しつつ説明する。ここで、図１に示した室内１００においては、無人であり、２モード電気機器２００がオフ、３モード電気機器３００がオフ、常時通電機器４００がオンとなるように、電源制御装置８００で制御されているものとする。
【００６７】
図４に示したステップＳＡ１では、電源制御装置８００の制御部８０１は、脳波測定装置５００および体温測定装置６００のそれぞれから測定データを収集する。ステップＳＡ２では、制御部８０１は、体温測定装置６００の測定データに基づいて、室内１００の状態（有人・活動中、有人・睡眠中、無人）を判定する。この場合、制御部８０１は、判定結果を無人とする。
【００６８】
ステップＳＡ３では、制御部８０１は、上記判定結果を状態情報（この場合、無人）として記憶部８０２に格納する。ステップＳＡ４では、制御部８０１は、ステップＳＡ２で有人・活動中と判定したか否かを判断し、この場合、判断結果を「Ｎｏ」とする。
【００６９】
ステップＳＡ５では、制御部８０１は、ステップＳＡ２で有人・睡眠中と判定したか否かを判断し、この場合、室内１００の状態が無人であるため、判断結果を「Ｎｏ」とする。
【００７０】
ステップＳＡ６では、制御部８０１は、電源制御テーブル８１０（図３参照）に基づいて、２モード電気機器２００をオフ、３モード電気機器３００をオフ、常時通電機器４００をオンとなるように制御する。
【００７１】
以後、ステップＳＡ４またはステップＳＡ５の判断結果が「Ｙｅｓ」となるまで、ステップＳＡ１〜ステップＳＡ６が繰り返される。
【００７２】
そして、外出先から室内１００に人間が入室すると、体温測定装置６００の測定データから体温が検出される。また、脳波測定装置５００の測定データからは、睡眠状態が検出されない。これにより、ステップＳＡ２では、制御部８０１は、有人・活動中と判定する。
【００７３】
ステップＳＡ３では、制御部８０１は、上記判定結果を状態情報（この場合、有人・活動中）として記憶部８０２に格納する。ステップＳＡ４では、制御部８０１は、ステップＳＡ２で有人・活動中と判定したか否かを判断し、この場合、判断結果を「Ｙｅｓ」とする。
【００７４】
ステップＳＡ７では、制御部８０１は、電源制御テーブル８１０（図３参照）に基づいて、２モード電気機器２００をオフからオン、３モード電気機器３００をオフからオン、常時通電機器４００をオンとなるように制御した後、ステップＳＡ１以降の処理を繰り返す。
【００７５】
そして、室内１００において人間が床につき睡眠状態になると、脳波測定装置５００の測定データから睡眠状態が検出される。これにより、ステップＳＡ２では、制御部８０１は、有人・睡眠中と判定する。
【００７６】
ステップＳＡ３では、制御部８０１は、上記判定結果を状態情報（この場合、有人・睡眠中）として記憶部８０２に格納する。ステップＳＡ４では、制御部８０１は、ステップＳＡ２で有人・活動中と判定したか否かを判断し、この場合、判断結果を「Ｎｏ」とする。
【００７７】
ステップＳＡ５では、制御部８０１は、ステップＳＡ２で有人・睡眠中と判定したか否かを判断し、この場合、判断結果を「Ｙｅｓ」とする。ステップＳＡ８では、制御部８０１は、電源制御テーブル８１０（図３参照）に基づいて、２モード電気機器２００をオンからオフ、３モード電気機器３００をオンから省電力、常時通電機器４００をオンとなるように制御した後、ステップＳＡ１以降の処理を繰り返す。
【００７８】
そして、室内１００において人間が起床し、活動を始めると、脳波測定装置５００の測定データからは、睡眠状態が検出されないため、ステップＳＡ２では、制御部８０１は、有人・活動中と判定する。
【００７９】
ステップＳＡ３では、制御部８０１は、上記判定結果を状態情報（この場合、有人・活動中）として記憶部８０２に格納する。ステップＳＡ４では、制御部８０１は、ステップＳＡ２で有人・活動中と判定したか否かを判断し、この場合、判断結果を「Ｙｅｓ」とする。
【００８０】
ステップＳＡ７では、制御部８０１は、電源制御テーブル８１０（図３参照）に基づいて、２モード電気機器２００をオフからオン、３モード電気機器３００を省電力からオン、常時通電機器４００をオンとなるように制御した後、ステップＳＡ１以降の処理を繰り返す。
【００８１】
そして、人間が室内１００から外出すると、体温測定装置６００により体温が測定されないため、ステップＳＡ２では、制御部８０１は、無人と判定する。
【００８２】
ステップＳＡ３では、制御部８０１は、上記判定結果を状態情報（この場合、無人）として記憶部８０２に格納する。ステップＳＡ４では、制御部８０１は、ステップＳＡ２で有人・活動中と判定したか否かを判断し、この場合、判断結果を「Ｎｏ」とする。
【００８３】
ステップＳＡ５では、制御部８０１は、ステップＳＡ２で有人・睡眠中と判定したか否かを判断し、この場合、室内１００の状態が無人であるため、判断結果を「Ｎｏ」とする。
【００８４】
ステップＳＡ６では、制御部８０１は、電源制御テーブル８１０（図３参照）に基づいて、２モード電気機器２００をオンからオフ、３モード電気機器３００をオンからオフ、常時通電機器４００をオンとなるように制御した後、ステップＳＡ１以降の処理を実行する。
【００８５】
なお、一実施の形態においては、睡眠生理学データとして、脳波を用いた例について説明したが、これに限定されることなく、脳波に代えて、睡眠中の利用者の体の動きに関する体動等の他の睡眠生理学データを用いて、睡眠状態を判定する構成例としてもよい。
【００８６】
また、一実施の形態においては、室内１００における部屋区分について特に言及しなかったが、各部屋に脳波測定装置５００および体温測定装置６００を設けて、部屋単位で上記電源制御を行うように構成してもよい。
【００８７】
また、一実施の形態においては、体温測定装置６００を用いて、室内１００における有人／無人を判定する構成例について説明したが、体温測定装置６００に代えて、室内１００を撮像する撮像装置を用いて、有人／無人を判定する構成例としてもよい。この構成例では、撮像装置で前後２枚の画像を撮像し、これらの画像の変化の有無が、有人／無人に対応する。
【００８８】
また、一実施の形態においては、室内１００において、手動で３モード電気機器３００がオンから省電力に電源が制御された後、無人となった場合、制御部８０１により、３モード電気機器３００を省電力からオフに電源を制御する構成例としてもよい。
【００８９】
以上説明したように、一実施の形態によれば、室内１００における人間の状態を監視し、状態が有人かつ活動中である場合、制御対象機器としての２モード電気機器２００の電源をオンに電源制御し、状態が有人かつ睡眠中である場合、２モード電気機器２００の電源をオフに制御し、状態が無人である場合、２モード電気機器２００の電源をオフに制御することとしたので、状態に応じたきめ細かい制御により、２モード電気機器２００の消費電力の無駄を省き、節電に貢献することができる。
【００９０】
また、一実施の形態によれば、室内１００における人間の状態を監視し、状態が有人かつ活動中である場合、制御対象機器としての３モード電気機器３００の電源をオンに電源制御し、状態が有人かつ睡眠中である場合、３モード電気機器３００の電源を省電力に制御し、状態が無人である場合、３モード電気機器３００の電源をオフに制御することとしたので、状態に応じたきめ細かい制御により、３モード電気機器３００の消費電力の無駄を省き、節電に貢献することができる。
【００９１】
また、一実施の形態によれば、３モード電気機器３００の電源が省電力に強制的に変更され後に、状態が無人とされた場合、３モード電気機器３００の電源をオフに制御することとしたので、さらに、３モード電気機器３００の消費電力の無駄を省き、節電に貢献することができる。
【００９２】
また、一実施の形態によれば、人間の脳波、体温（または画像）の測定結果に基づいて、状態を監視することとしたので、状態の監視精度を高めることができる。
【００９３】
以上本発明にかかる一実施の形態について図面を参照して詳述してきたが、具体的な構成例はこの一実施の形態に限られるものではなく、本発明の要旨を逸脱しない範囲の設計変更等があっても本発明に含まれる。
【００９４】
例えば、前述した一実施の形態においては、図１に示した電源制御装置８００の機能を実現するためのプログラムを図５に示したコンピュータ読み取り可能な記録媒体１０００に記録して、この記録媒体１０００に記録されたプログラムを同図に示したコンピュータ９００に読み込ませ、実行することにより各機能を実現してもよい。
【００９５】
同図に示したコンピュータ９００は、上記プログラムを実行するＣＰＵ（Ｃｅｎｔｒａｌ  Ｐｒｏｃｅｓｓｉｎｇ  Ｕｎｉｔ）９１０と、キーボード、マウス等の入力装置９２０と、各種データを記憶するＲＯＭ（Ｒｅａｄ  Ｏｎｌｙ  Ｍｅｍｏｒｙ）９３０と、演算パラメータ等を記憶するＲＡＭ（Ｒａｎｄｏｍ  Ａｃｃｅｓｓ  Ｍｅｍｏｒｙ）９４０と、記録媒体１０００からプログラムを読み取る読取装置９５０と、ディスプレイ、プリンタ等の出力装置９６０と、装置各部を接続するバス９７０とから構成されている。
【００９６】
ＣＰＵ９１０は、読取装置９５０を経由して記録媒体１０００に記録されているプログラムを読み込んだ後、プログラムを実行することにより、前述した機能を実現する。なお、記録媒体１０００としては、光ディスク、フレキシブルディスク、ハードディスク等が挙げられる。
【００９７】
【発明の効果】
以上説明したように、請求項１、６、１１にかかる発明によれば、室内における人間の状態を監視し、状態が有人かつ活動中である場合、制御対象機器の電源をオンに電源制御し、状態が有人かつ睡眠中である場合、制御対象機器の電源をオフに制御し、状態が無人である場合、制御対象機器の電源をオフに制御することとしたので、状態に応じたきめ細かい制御により、制御対象機器の消費電力の無駄を省き、節電に貢献することができるという効果を奏する。
【００９８】
また、請求項２、７、１２にかかる発明によれば、室内における人間の状態を監視し、状態が有人かつ活動中である場合、制御対象機器の電源をオンに電源制御し、状態が有人かつ睡眠中である場合、制御対象機器の電源を省電力に制御し、状態が無人である場合、制御対象機器の電源をオフに制御することとしたので、状態に応じたきめ細かい制御により、制御対象機器の消費電力の無駄を省き、節電に貢献することができるという効果を奏する。
【００９９】
また、請求項３、８、１３にかかる発明によれば、制御対象機器の電源が省電力に強制的に変更され後に、状態が無人とされた場合、制御対象機器の電源をオフに制御することとしたので、さらに、制御対象機器の消費電力の無駄を省き、節電に貢献することができるという効果を奏する。
【０１００】
また、請求項４、９、１４にかかる発明によれば、人間の脳波、体温の測定結果に基づいて、状態を監視することとしたので、状態の監視精度を高めることができるという効果を奏する。
【０１０１】
また、請求項５、１０、１５にかかる発明によれば、人間の脳波、画像の測定結果に基づいて、状態を監視することとしたので、状態の監視精度を高めることができるという効果を奏する。
【図面の簡単な説明】
【図１】本発明にかかる一実施の形態の構成を示すブロック図である。
【図２】睡眠サイクルを説明する図である。
【図３】図１に示した電源制御テーブル８１０を示す図である。
【図４】同一実施の形態の動作を説明するフローチャートである。
【図５】同一実施の形態の変形例の構成を示すブロック図である。
【符号の説明】
１００  室内
２００  ２モード電気機器
３００  ３モード電気機器
４００  常時通電機器
５００  脳波測定装置
６００  体温測定装置
７００  ホームネットワーク
８００  電源制御装置
８０１  制御部
８０２  記憶部
８０３  タイマ
８０４  通信部
８１０  電源制御テーブル
【図１】
2004302858.tif 000003
【図２】
2004302858.tif 000004
【図３】
2004302858.tif 000005
【図４】
2004302858.tif 000006
【図５】
2004302858.tif 000007